(57)【特許請求の範囲】
【請求項１】
スイッチ本体と、
前記スイッチ本体内に設けられたスイッチ機構と、
前記スイッチ本体の第１の側面から出入可能に設けられ、前記スイッチ機構を駆動する第１の操作子と、
前記第１の操作子を前記スイッチ本体から突出する第１の方向に付勢する第１の弾性部材と、
前記第１の操作子の前記スイッチ本体内の端部に設けられた突部と、
前記スイッチ本体の前記第１の側面に隣接する第２の側面から出入可能に設けられた第２の操作子と、
前記第２の操作子を前記スイッチ本体から突出する第２の方向に付勢する第２の弾性部材と、
前記スイッチ本体の内部で、前記第２の側面の近傍に設けられた収容部と、
前記収容部内に前記第１、第２の方向と直交する方向に移動可能に設けられたロック部材と、
前記ロック部材を前記収容部から突出する第３の方向に付勢する第３の弾性部材と、
を具備し、
ロック部材は、前記第２の操作子の前記スイッチ本体内の端部が接触可能で、前記第２の操作子が前記第２の方向と反対方向に押し込まれた場合、前記ロック部材を前記収容部内に移動させる傾斜部と、前記第１、第２の操作子が前記スイッチ本体から突出され、前記スイッチ機構がオフ状態において、前記第１の操作子の前記突部が嵌合可能な嵌合部と、を有することを特徴とするトリガスイッチ。
【請求項２】
前記ロック部材は、前記第１の操作子が前記第１の方向と反対の方向に押し込まれ、前記スイッチ機構がオン状態において、前記突部に当接される当接部を有し、前記ロック部材は、前記収容部内に押し込まれた状態に保持される構成であることを特徴とする請求項１記載のトリガスイッチ。
【請求項３】
前記ロック部材の外面と前記収容部の内面の一方に設けられ、前記収容部の内面と前記ロック部材の外面の一方に接触される複数の第３の突起と、
を具備することを特徴とする請求項１記載のトリガスイッチ。
【発明の詳細な説明】
【技術分野】
【０００１】
本発明の実施形態は、例えば電動工具等に適用されるトリガスイッチに関する。
【背景技術】
【０００２】
この種のトリガスイッチは、電動工具の電源が不用意に入らないようにするため、トリガ操作子の操作をロックするロック機構が設けられている。このロック機構はトリガスイッチのオフ状態を保持している。このロック機構を解除することにより、トリガ操作子が操作可能となり、電動工具に電源を供給することが可能とされている（例えば特許文献１、特許文献２参照）。
【先行技術文献】
【特許文献】
【０００３】
【特許文献１】実用新案登録第２５２４６６４号公報
【特許文献２】実用新案登録第２５４９５０９号公報
【発明の概要】
【発明が解決しようとする課題】
【０００４】
ロック機構は、ロック解除釦を有している。ロック解除釦は、スイッチ本体の外部に設けられ、このロック解除釦を操作することにより、スイッチ本体内部に設けられたロック機構を解除することが可能とされている。このロック機構は、部品点数が多く、組み立てが煩雑であった。また、ロック機構は、塵埃等により動作不良が生じない構造である必要がある。
【０００５】
本発明の実施形態は、少ない部品点数で、組み立てが容易であり、且つ動作不良を防止することが可能なトリガスイッチを提供するものである。
【課題を解決するための手段】
【０００６】
実施形態のトリガスイッチは、スイッチ本体と、前記スイッチ本体内に設けられたスイッチ機構と、前記スイッチ本体の第１の側面から出入可能に設けられ、前記スイッチ機構を駆動する第１の操作子と、前記第１の操作子を前記スイッチ本体から突出する第１の方向に付勢する第１の弾性部材と、前記第１の操作子の前記スイッチ本体内の端部に設けられた突部と、前記スイッチ本体の前記第１の側面に隣接する第２の側面から出入可能に設けられた第２の操作子と、前記第２の操作子を前記スイッチ本体から突出する第２の方向に付勢する第２の弾性部材と、前記スイッチ本体の内部で、前記第２の側面の近傍に設けられた収容部と、前記収容部内に前記第１、第２の方向と直交する方向に移動可能に設けられたロック部材と、前記ロック部材を前記収容部から突出する第３の方向に付勢する第３の弾性部材と、を具備し、ロック部材は、前記第２の操作子の前記スイッチ本体内の端部が接触可能で、前記第２の操作子が前記第２の方向と反対方向に押し込まれた場合、前記ロック部材を前記収容部内に移動させる傾斜部と、前記第１、第２の操作子が前記スイッチ本体から突出され、前記スイッチ機構がオフ状態において、前記第１の操作子の前記突部が嵌合可能な嵌合部と、を有する。
【図面の簡単な説明】
【０００７】
【図１】実施形態に係るトリガスイッチを示す上面図。
【図２】図１に示すトリガスイッチの側面図。
【図３】図１に示すトリガスイッチの一部を示す上面図。
【図４】図１に示すトリガスイッチの分解斜視図。
【図５】トリガスイッチの動作を示す分解斜視図。
【図６】図５と異なる動作状態を示す分解斜視図。
【発明を実施するための形態】
【０００８】
以下、実施の形態について、図面を参照して説明する。図面において、同一部分には同一符号を付している。
【０００９】
図１、図２において、トリガスイッチ１０は、スイッチ本体１１、第１の操作子としてのトリガ操作子１４、及び第２の操作子としてのロック解除釦１５を有している。スイッチ本体１１は、ハウジング１２と、ハウジング１２に装着されたカバー１３により構成されている。
【００１０】
トリガ操作子１４は、軸部１４ａを有している。軸部１４ａは、スイッチ本体１１の第１の側面に貫通され、軸部１４ａは、スイッチ本体１１の第１の側面に出入自在に設けられている。
【００１１】
ロック解除釦１５は、軸部１５ａを有している。軸部１５ａは、スイッチ本体１１の第１の側面と直交する第２の側面に出入自在に設けられている。すなわち、ロック解除釦１５は、トリガ操作子１４の移動方向と直交する方向に移動可能とされている。ロック解除釦１５は、ばね１６により、スイッチ本体１１から突出する方向に付勢されている。すなわち、ばね１６は、ロック解除釦１５とスイッチ本体１１の第２の側面との間の軸部１５ａに設けられている。軸部１５ａの周囲には、例えば図示せぬグリースが塗布され、このグリースにより、軸部１５ａと第２の側面との間の間隙が閉塞され、間隙からスイッチ本体１１内に塵埃が進入することが防止されている。
【００１２】
スイッチ本体１１の第２の側面には、後述するスイッチ機構を構成する第１、第２の固定接片に電気的に接続された端子１７ａ、１８ａが配置されている。
【００１３】
図３に示すように、ハウジング１２は、例えば第１、第２の収容部１２ａ、１２ｂを有している。第１の収容部１２ａの内部には、スイッチ機構ＳＷを構成する第１の固定接片（例えばばコモン接片）１７と、第２の固定接片１８が配置されている。第１の固定接片１７と、第２の固定接片１８は、図４に示すように、トリガ操作子１４の移動方向に沿って所定間隔離間して配置されている。
【００１４】
図３、図４に示すように、第１の固定接片１７は、起立部１７ｂを有している。スイッチ機構ＳＷを構成する可動接片１９の長さ方向のほぼ中央部は、起立部１７ｂに回動自在に保持されている。可動接片１９は、例えばシーソースイッチを構成し、可動接片１９の上面には、押し棒２０の一端部がスライド可能に接触されている。押し棒２０の他端部は、トリガ操作子１４の軸部１４ａに設けられた図示せぬ凹部内に収容されている。この凹部内には、図示せぬばねが設けられ、このばねにより押し棒２０は、可動接片１９の上面に圧接されている。
【００１５】
トリガ操作子１４は、ばね２１により、スイッチ本体１１から突出する方向に付勢されている。すなわち、ばね２１は、トリガ操作子１４の軸部１４ａの端部と、例えばカバー１３の内面との間に設けられている。
【００１６】
トリガ操作子１４の軸部１４ａで、例えばカバー１３内に位置する部分の側面には、突部１４ｂが設けられている。この突部１４ｂは、第２の収容部１２ｂの上方に位置されている。突部１４ｂの形状は、例えば直方体であり、後述するロック部材２３とともにロック機構を構成する。
【００１７】
トリガ操作子１４の軸部１４ａには、防塵部材としてのパッキン２２が設けられている。このパッキン２２は、例えばウレタンゴムにより構成され、軸部１４ａの周囲に接触されている。このパッキン２２は、スイッチ本体１１の第１の側面内において、ハウジング１２とカバー１３に設けられた溝部１２ｃ内に保持される（カバー１３の溝部は、図示していない）。
【００１８】
図３に示すように、ハウジング１２の第２の収容部１２ｂ内には、ロック部材２３が収容されている。このロック部材２３は、第２の収容部１２ｂの内部で、トリガ操作子１４の移動方向と、ロック解除釦１５の移動方向に直交する方向に移動可能とされている。
【００１９】
このロック部材２３は、図４に示すように、ばね２４により、第２の収容部１２ｂから突出する方向に付勢されている。ばね２４は、第２の収容部１２ｂの図示せぬ底部とロック部材２３に設けられた凹部２３ｇとの間に設けられている。
【００２０】
ロック部材２３は、図３、図４に示すように、傾斜部２３ａ、嵌合部２３ｂ、当接部２３ｃ、複数の突起２３ｄ、２３ｅ、ガイド部２３ｆ、及び凹部２３ｇを有している。傾斜部２３ａ、嵌合部２３ｂ、当接部２３ｃは、トリガ操作子１４の引き込み方向に沿って順に配置されている。
【００２１】
傾斜部２３ａは、ロック解除釦１５の軸部１５ａのスイッチ本体１１内端部に接触可能な位置に設けられている。傾斜部２３ａは、ロック解除釦１５に設けられた軸部１５ａの端部から離れるに従って高くなるように傾斜されている。このため、ロック解除釦１５がスイッチ本体１１内に押し込まれ、軸部１５ａの端部が傾斜部２３ａに圧接されると、ロック部材２３は、ばね２４の付勢力に抗して第２の収容部１２ｂ内に移動される。
【００２２】
嵌合部２３ｂは、例えば凹状に形成され、トリガ操作子１４に設けられた直方体形状の突部１４ｂ（以下、突部１４ｂは、トリガ操作子１４の突部１４ｂという）に嵌合可能とされている。すなわち、嵌合部２３ｂは、トリガ操作子１４の軸部１４ａがスイッチ本体１１から突出された状態において、トリガ操作子１４の突部１４ｂと嵌合可能な位置に配置されている。
【００２３】
トリガ操作子１４の突部１４ｂと嵌合部２３ｂが嵌合された状態おいて、突部１４ｂの第２の収容部１２ｂ側の底面が、ばね２４の付勢力により、嵌合部２３ｂの第２の収容部１２ｂ側の底面２３ｂ−１に当接される。この状態において、ロック部材２３の突出位置及びトリガ操作子１４の突出位置が規定される。
【００２４】
また、トリガ操作子１４の突部１４ｂが嵌合部２３ｂに嵌合された状態において、トリガ操作子１４が引き込まれた場合、突部１４ｂのトリガ操作子１４と反対側の側面が、嵌合部２３ｂのトリガ操作子１４と反対側の側面２３ｂ−２に当接され、トリガ操作子１４は、スイッチ機構ＳＷがオフ状態の位置でロックされる（以下、これをオフロック状態と称す）。
【００２５】
当接部２３ｃは、その表面が例えば平坦で、当接部２３ｃの表面の高さは、傾斜部２３ａの最も高い位置よりも若干低い位置、又は同等の位置に設定されている。ロック解除釦１５が押し込まれ、ロック部材２３が第２の収容部１２ｂされた状態において、嵌合部２３ｂとトリガ操作子１４の突部１４ｂとの嵌合状態が解除され、当接部２３ｃの上方をトリガ操作子１４の突部１４ｂが移動可能とされる。
【００２６】
尚、トリガ操作子１４の突部１４ｂは、直方体形状に限定されるものではなく、嵌合部２３ｂは、凹状に限定されるものではなく、突部１４ｂと嵌合部２３ｂとが面接触できる形状であればよい。
【００２７】
また、当接部２３ｃは、トリガ操作子１４の突部１４ｂに当接可能な構成であれば、その表面が平坦に限定されるものではない。
【００２８】
複数の突起２３ｄ、２３ｅは、ロック部材２３の側面にロック部材２３の移動方向に沿って設けられている。突起２３ｄ、２３ｅは、例えば半円柱形状とされ、突起２３ｄ、２３ｅが第２の収容部１２ｂの内面に接触されている。このため、ロック部材２３と第２の収容部１２ｂとの接触摩擦を低減でき、ロック部材２３を第２の収容部１２ｂ内でスムーズに移動させることが可能である。
【００２９】
また、ロック部材２３の突起２３ｄ、２３ｅにより、第２の収容部１２ｂの内面とロック部材２３との間に突起２３ｄ、２３ｅの厚みに相当する間隙が形成される。このため、仮に、第２の収容部１２ｂ内に塵埃が進入した場合においても、この間隙を介して第２の収容部１２ｂの底部に塵埃を落とし込むことが可能である。
【００３０】
尚、突起２３ｄ、２３ｅは、ロック部材２３に設けたが、これに限らず、ロック部材２３の側面は平坦とし、第２の収容部１２ｂ内に複数の突起を設ける構成としてもよい。
【００３１】
ガイド部２３ｆは、ロック部材２３の側面にロック部材の移動方向に沿って設けられている。このガイド部２３ｆは、例えば直方体形状とされ、第２の収容部１２ｂの内面に設けられた溝にスライド自在に嵌合されている。このガイド部２３ｆにより、ロック部材２３が第２の収容部１２ｂ内で傾斜することを防止でき、ロック部材２３を第２の収容部１２ｂ内でスムーズに移動させることが可能である。
【００３２】
尚、ガイド部２３ｆは、ロック部材２３に設け、溝を第２の収容部１２ｂ内に設けたが、これに限らず、ガイド部を第２の収容部１２ｂ内に設け、溝をロック部材２３に設けてもよい。
【００３３】
（作用）
上記構成において、図１乃至図６を参照してトリガスイッチ１０の動作について説明する。
【００３４】
図１乃至図４に示すように、トリガ操作子１４がスイッチ本体１１から突出された状態において、スイッチ機構ＳＷを構成する可動接片１９は、第２の固定接片１８から離間したオフ状態となっている。この状態において、ロック解除釦１５がスイッチ本体１１から突出された状態である場合、ロック部材２３の傾斜部２３ａ、嵌合部２３ｂ、当接部２３ｃは、ばね２４により第２の収容部１２ｂから突出されており、嵌合部２３ｂがトリガ操作子１４の突部１４ｂに嵌合されている。このため、トリガ操作子１４は、スイッチ本体１１内に押し込むことができないオフロック状態に保持されている。
【００３５】
上記オフロック状態において、ロック解除釦１５を押し込むと、ロック解除釦１５の軸部１５ａがロック部材２３の傾斜部２３ａに当接される。この状態よりさらに、ロック解除釦１５を押し込むと、ロック部材２３がばね２４の付勢力に抗して第２の収容部１２ｂの内部（図４に示す矢印Ａ方向）に移動される。このため、ロック部材２３の嵌合部２３ｂとトリガ操作子１４の突部１４ｂとの嵌合状態が解除される。
【００３６】
図５は、ロック部材２３の嵌合部２３ｂとトリガ操作子１４の突部１４ｂとの嵌合状態が解除された状態を示している。この状態において、トリガ操作子１４をばね２１の付勢力に抗して図示矢印Ｂ方向に引き込むと、トリガ操作子１４の移動に伴い、押し棒２０が可動接片１９上をスライドする。押し棒２０が第１の固定接片１７の起立部１７ｂを通過すると、可動接片１９が回動する。
【００３７】
図６は、可動接片１９が回動した状態を示している。このように、可動接片１９が回動し、可動接片１９が第２の固定接片１８に接触された状態において、スイッチ機構ＳＷがオン状態となる。
【００３８】
このスイッチ機構ＳＷがオン状態において、トリガ操作子１４の突部１４ｂは、ロック部材２３の当接部２３ｃ上に位置している。このため、ロック解除釦１５に対する押圧力を解除した状態においても、ロック部材２３は、トリガ操作子１４の突部１４ｂにより押さえられ、第２の収容部１２ｂ内に押し込まれたままに保持される。
【００３９】
上記スイッチ機構ＳＷがオン状態において、トリガ操作子１４に対する押圧力を解除すると、トリガ操作子１４は、ばね２１の付勢力によりスイッチ本体１１から突出する方向に移動される。これに伴い、トリガ操作子１４の突部１４ｂは、ロック部材２３の当接部２３ｃ上をスライドする。トリガ操作子１４が図５に示す位置に復帰すると、スイッチ機構ＳＷは、オフ状態となる。また、ロック部材２３は、ばね２４の付勢力により第２の収容部１２ｂから突出する方向に移動される。このため、図４に示すように、嵌合部２３ｂとトリガ操作子１４の突部１４ｂが嵌合され、オフロック状態に復帰される。
【００４０】
尚、スイッチ機構ＳＷとして電源のオフ−オンを行うものを例に説明したが、本発明はこれに限らず、モーターの回転数を制御できる電子回路を内蔵した速度制御付きトリガスイッチに適用することもできる。
【００４１】
（効果）
上記実施形態によれば、ロック機構は、ロック解除釦１５、ばね１６、ロック部材２３、ばね２４、及びロック部材２３の嵌合部２３ｂに嵌合されるトリガ操作子１４の突部１４ｂにより構成されている。このため、少ない部品点数で、ロック機構を構成することができる。しかも、ロック機構において、ロック部材２３とばね２４は、第２の収容部１２ｂに落とし込むことにより、組み立てることができ、この状態で、トリガ操作子１４をハウジング１２上に載置し、カバー１３を装着することにより、組み立てることができる。したがって、組み立てが容易である。
【００４２】
さらに、トリガ操作子１４の突部１４ｂは、例えばロック部材２３の嵌合部２３ｂに嵌合されたオフロック状態において、トリガ操作子１４が引き込まれた場合、突部１４ｂのトリガ操作子１４と反対側の側面が、嵌合部２３ｂのトリガ操作子１４と反対側の側面２３ｂ−２に当接される。すなわち、突部１４ｂと嵌合部２３ｂは、面接触している。このため、十分な剛性を得ることができ、オフロック状態を確実に保持することが可能である。
【００４３】
また、ロック部材２３は、傾斜部２３ａを有し、オフロック状態を解除する場合、ロック解除釦１５を押し込むことにより、ロック解除釦１５の軸部１５ａが傾斜部２３ａに当接してロック部材２３を押し下げる構造である。このため、ロックを解除する操作時に、ロック解除釦１５やロック部材２３に無理な力が加わることがない。このため、これらの部品の破損を防止でき、トリガスイッチの信頼性を向上することが可能である。
【００４４】
さらに、ロック部材２３は、複数の突起２３ｄ、２３ｅを有し、第２の収容部１２ｂの内面とロック部材２３との間に突起２３ｄ、２３ｅの厚みに相当する間隙が形成されている。このため、仮に、第２の収容部１２ｂ内に塵埃が進入した場合においても、この間隙を介して第２の収容部１２ｂの底部に塵埃を落とし込むことが可能である。したがって、ロック部材２３の動作不良を防止することができ、トリガスイッチの信頼性を向上することが可能である。
【００４５】
また、トリガ操作子１４を押し込んだオン状態において、ロック部材２３の当接部２３ｃは、トリガ操作子１４の突部１４ｂに当接し、ロック部材２３は、第２の収容部１２ｂ内に押し込まれた状態に保持される。このため、ロック解除釦１５に対する押圧力を解除してもオン状態を保持することができる。しかも、オン状態からトリガ操作子１４に対する押圧力を解除すると、突部１４ｂが嵌合部２３ｂの位置に移動した状態において、ロック部材２３がばね２４の付勢力により第２の収容部１２ｂから突出され、突部１４ｂが嵌合部２３ｂに嵌合される。このため、自動的にオフロック状態に復帰することができ、操作性が良好である。
【００４６】
その他、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４７】
１０…トリガスイッチ、１１…スイッチ本体、１２ａ…第１の収容部、１２ｂ…第２の収容部、１４…トリガ操作子（第１の操作子）、１４ｂ…突部、１５…ロック解除釦（第２の操作子）、１６、２１、２４…ばね、２３…ロック部材、２３ａ…傾斜部、２３ｂ…嵌合部、２３ｃ…当接部、２３ｄ、２３ｅ…突起、ＳＷ…スイッチ機構。
【図１】
0006501611.tif 000002
【図２】
0006501611.tif 000003
【図３】
0006501611.tif 000004
【図４】
0006501611.tif 000005
【図５】
0006501611.tif 000006
【図６】
0006501611.tif 000007